(57)【特許請求の範囲】
【請求項１】
外装材と、該外装材との間に空気が流れる外側通気層を介して配された断熱材と、該断熱材の屋内側に配された内装材とを含む外壁構造であって、
前記断熱材の前記外側通気層に面する外面に防湿層が配されるととともに、
前記内装材の屋内側に、空気が流れる内側通気層を介して配置される内面材と、該内面材の屋内側に貼り付けられた内装仕上げ材とが配され、
前記防湿層の透湿抵抗Ａ（ｍ2・ｈ・mmHg／ｇ）と、前記内装材の透湿抵抗Ｂ（ｍ2・ｈ・mmHg／ｇ）との比（Ａ／Ｂ）が４．２５以上であるとともに、
前記防湿層の透湿抵抗Ａ（ｍ2・ｈ・mmHg／ｇ）と、前記内装仕上げ材を含んだ前記内面材の透湿抵抗Ｃ（ｍ2・ｈ・mmHg／ｇ）との比（Ａ／Ｃ）が０．８５以上であることを特徴とする外壁構造。
【請求項２】
前記内面材の上下端側には、前記内側通気層と前記屋内側とを連通する上通気孔、及び下通気孔が設けられる請求項１に記載の外壁構造。
【請求項３】
前記内面材には、前記下通気孔を覆う下覆い部が設けられ、
前記下覆い部は、前記下通気孔の上側に固着される上基部と、該上基部から下方にのびかつ下通気孔を屋内側で離間して覆う上突片とを含む上巾木を少なくとも含み、
前記上突片の下端は、前記下通気孔の下端よりも下方に位置する請求項２に記載の外壁構造。
【請求項４】
前記透湿抵抗Ａが１７０（ｍ2・ｈ・mmHg／ｇ）以上である請求項１乃至３のいずれかに記載の夏型結露を防止するための外壁構造。
【請求項５】
前記透湿抵抗Ｂが４０（ｍ2・ｈ・mmHg／ｇ）以下である請求項１乃至４のいずれかに記載の夏型結露を防止するための外壁構造。
【請求項６】
前記透湿抵抗Ｃが２００（ｍ2・ｈ・mmHg／ｇ）以下である請求項１乃至５のいずれかに記載の夏型結露を防止するための外壁構造。
【発明の詳細な説明】
【技術分野】
【０００１】
本発明は、蒸暑地等における夏型結露を有効に防止するのに役立つ外壁構造に関する。
【背景技術】
【０００２】
例えば、図５（ａ）に示されるように、冬型結露を防止するための外壁構造ａが提案されている。この外壁構造ａは、外装材ｂと、該外装材ｂとの間に空気ｓが流れる通気層ｃを介して配された断熱材ｄと、該断熱材ｄの屋内側ｉに配された内装材ｅと、断熱材ｄの通気層ｃに面する外面に配された透湿防水層ｈと、内装材ｅと断熱材ｄとの間に配された防湿層ｇとを含んでいる。これらの構成部材は、防湿層ｇを除いて、いずれも透湿性を有する。
【０００３】
このような外壁構造ａでは、冬季の壁内結露を有効に防止することができる。即ち、暖房等によって、屋内側ｉが高温高湿となり屋外側ｏで低温低湿となるため、湿気の流れｆ１は、屋内側ｉから屋外側ｏへと向かうが、防湿層ｇによって、湿気ｍの壁内への流入が防止される。また、壁内に湿気ｍが流入しても、その主要部は通気層ｃに流れる空気ｓによって外部へと排出される。関連する先行技術として、次のものがある。
【先行技術文献】
【特許文献】
【０００４】
【特許文献１】特開２００７−０７０８６４号公報
【発明の概要】
【発明が解決しようとする課題】
【０００５】
ところで、上記外壁構造ａは、冬季の壁内結露に対しては有効ではあるが、蒸暑地等の夏季において、壁内結露が生じやすいという問題があった。
【０００６】
即ち、図５（ｂ）に示されるように、夏季、蒸暑地では屋内側で冷房が行われるため、屋外側ｏが高温多湿かつ屋内側ｉが低温低湿となる。壁内に浸透した湿気の一部は、本来、通気層ｃによって外部へ排出されるものではあるが、蒸暑地では外気自体に大量の湿気を含んでいるため、湿気の流れｆ２が屋外側から屋内側へと向かい、この湿気が防湿層ｇの屋外側で冷やされて結露を生じるという問題がある。
【０００７】
本発明は、以上のような実状に鑑み案出されたもので、断熱材の外側通気層に面する外面に防湿層を配するとともに、内装材の屋内側に内側通気層を介して配される内面材と、内面材の屋内側に貼り付けられた内装仕上げ材とを配し、かつ防湿層の透湿抵抗Ａ、内装材の透湿抵抗Ｂ、及び内装仕上げ材を含んだ内面材の透湿抵抗Ｃを一定範囲に限定することを基本として、夏型結露を有効に防止しうる外壁構造を提供することを目的としている。
【課題を解決するための手段】
【０００８】
本発明のうち請求項１記載の発明は、外装材と、該外装材との間に空気が流れる外側通気層を介して配された断熱材と、該断熱材の屋内側に配された内装材とを含む外壁構造であって、前記断熱材の前記外側通気層に面する外面に防湿層が配されるととともに、前記内装材の屋内側に、空気が流れる内側通気層を介して配置される内面材と、該内面材の屋内側に貼り付けられた内装仕上げ材とが配され、前記防湿層の透湿抵抗Ａ（ｍ2・ｈ・mmHg／ｇ）と、前記内装材の透湿抵抗Ｂ（ｍ2・ｈ・mmHg／ｇ）との比（Ａ／Ｂ）が４．２５以上であるとともに、前記防湿層の透湿抵抗Ａ（ｍ2・ｈ・mmHg／ｇ）と、前記内装仕上げ材を含んだ前記内面材の透湿抵抗Ｃ（ｍ2・ｈ・mmHg／ｇ）との比（Ａ／Ｃ）が０．８５以上であることを特徴とする。
【０００９】
また、請求項２記載の発明は、前記内面材の上下端側には、前記内側通気層と前記屋内側とを連通する上通気孔、及び下通気孔が設けられる請求項１に記載の外壁構造である。
【００１０】
また、請求項３記載の発明は、前記内面材には、前記下通気孔を覆う下覆い部が設けられ、前記下覆い部は、前記下通気孔の上側に固着される上基部と、該上基部から下方にのびかつ下通気孔を屋内側で離間して覆う上突片とを含む上巾木を少なくとも含み、前記上突片の下端は、前記下通気孔の下端よりも下方に位置する請求項２に記載の外壁構造である。
【００１１】
また、請求項４記載の発明は、前記透湿抵抗Ａが１７０（ｍ2・ｈ・mmHg／ｇ）以上である請求項１乃至３のいずれかに記載の夏型結露を防止するための外壁構造である。
【００１２】
また、請求項５記載の発明は、前記透湿抵抗Ｂが４０（ｍ2・ｈ・mmHg／ｇ）以下である請求項１乃至４のいずれかに記載の夏型結露を防止するための外壁構造である。
【００１３】
また、請求項６記載の発明は、前記透湿抵抗Ｃが２００（ｍ2・ｈ・mmHg／ｇ）以下である請求項１乃至５のいずれかに記載の夏型結露を防止するための外壁構造である。
【発明の効果】
【００１４】
本発明の外壁構造は、外装材と、該外装材との間に空気が流れる外側通気層を介して配された断熱材と、該断熱材の屋内側に配された内装材とを含む。
【００１５】
前記断熱材の前記外側通気層に面する外面には、防湿層が配されるととともに、内装材の屋内側に、空気が流れる内側通気層を介して配置される内面材と、該内面材の屋内側に貼り付けられた内装仕上げ材とが配される。
【００１６】
さらに、防湿層の透湿抵抗Ａ（ｍ2・ｈ・mmHg／ｇ）と、内装材の透湿抵抗Ｂ（ｍ2・ｈ・mmHg／ｇ）との比（Ａ／Ｂ）が４．２５以上に設定されるとともに、防湿層の透湿抵抗Ａ（ｍ2・ｈ・mmHg／ｇ）と、内装仕上げ材を含んだ内面材の透湿抵抗Ｃ（ｍ2・ｈ・mmHg／ｇ）との比（Ａ／Ｃ）が０．８５以上に設定される。
【００１７】
このような外壁構造は、屋外側が高温多湿かつ屋内側が低温低湿となる蒸暑地等の夏季において、屋外側からの湿気の流れを、透湿抵抗Ａの大きな防湿層で遮断し、湿気が断熱材内に浸入するのを効果的に防止しうる。また、断熱材内に僅かに浸入した湿気は、透湿抵抗Ｂの小さい内装材から屋内側に排出されるので、断熱材内に湿気が滞留するのを効果的に抑制でき、夏型結露を効果的に防止しうる。
【００１８】
さらに、内装材から屋内側に排出された湿気は、内側通気層を流れる空気とともに屋内へ排出でき、壁内に湿気が滞留するのを抑制しうる。また、防湿層の透湿抵抗Ａ（ｍ2・ｈ・mmHg／ｇ）と内装仕上げ材を含んだ内面材の透湿抵抗Ｃとの比（Ａ／Ｃ）が上記の範囲に設定されるので、該内装仕上げ材を含む内面材からも、内側通気層の湿気の一部を屋内へ排出でき、壁内に湿気が滞留するのを効果的に抑制できる。従って、夏型結露を効果的に防止しうる。
【図面の簡単な説明】
【００１９】
【図１】本実施形態の外壁構造を示す断面図である。
【図２】図１の拡大図である。
【図３】図１の上覆い部の拡大図である。
【図４】図１の下覆い部の拡大図である。
【図５】（ａ）、（ｂ）は従来の外壁構造を示す断面図である。
【発明を実施するための形態】
【００２０】
以下、本発明の実施の一形態が図面に基づき説明される。
図１に示されるように、本実施形態の外壁構造１は、屋外側Ｈｏに配される外装材２と、該外装材２との間に外気Ｓが流れる外側通気層３を介して配された断熱材４と、該断熱材４の屋内側Ｈｉに配された内装材５と、内装材５の屋内側Ｈｉに、屋内の空気Ｔが流れる内側通気層８を介して配される内面材９と、該内面材９の屋内側Ｈｉに貼り付けられた内装仕上げ材６とを含み、主に、夏季に高温多湿となる蒸暑地の住宅等に用いられる。
【００２１】
これらの構成部材は、例えば、矩形に枠組みされた枠体７によって支持されてパネル状に形成され、例えば屋根梁１５と土台１６との間に固定される。この枠体７は、例えば木質材又は金属材等からなり、外壁構造１の上端側を水平にのびる上の枠材７Ａと、下端側を水平にのびる下の枠材７Ｂと、これらの間を左右両端で継ぐ左右の枠材（図示省略）とを含み、各枠材７Ａ、７Ｂ間を水平及び垂直方向にのびて継ぐ各種の桟材（図示省略）が設けられる。
【００２２】
前記外装材２は、前記枠体７の屋外側Ｈｏかつ上下に、例えばスペーサ１１Ａ、１１Ｂを介して取り付けられる。この外装材２には、例えば、ＡＬＣ等の発泡コンクリートパネルや、セメントと木質補強材料との原料混合物のスラリーを養生硬化させた窯業系外装パネルなどが用いられるのが望ましい。
【００２３】
また、スペーサ１１Ａ、１１Ｂには、外側通気層３と屋外との間で外気Ｓを連通させる開口１２が設けられる。
【００２４】
前記外側通気層３は、外装材２と断熱材４との間で上下にのびる空隙からなる。この外側通気層３は、スペーサ１１Ａ、１１Ｂの開口１２から案内された外気Ｓを上下に通過させ、該外側通気層３内に滞留した湿気を、例えば軒裏換気口１４等から屋外へ排出しうる。
【００２５】
前記断熱材４は、例えば、枠体７の内部に隙間なく配置される。この断熱材４には、例えば、ロックウールや、グラスウール等の繊維材等の他、耐水性及び軽量性に優れるポリスチレンフォーム等の樹脂材が用いられるのが望ましい。
【００２６】
図２に拡大して示されるように、断熱材４の外側通気層３に面する外面４ｏに、シート状の防湿層１３が配される。
【００２７】
そして、本実施形態では、前記防湿層１３の透湿抵抗Ａ（ｍ2・ｈ・mmHg／ｇ）と、前記内装材５の透湿抵抗Ｂ（ｍ2・ｈ・mmHg／ｇ）との比（Ａ／Ｂ）が、４．２５以上に設定される。さらに、防湿層１３の透湿抵抗Ａ（ｍ2・ｈ・mmHg／ｇ）と、内装仕上げ材６を含んだ内面材９の透湿抵抗Ｃ（ｍ2・ｈ・mmHg／ｇ）との比（Ａ／Ｃ）が、０．８５以上に設定される。
【００２８】
なお、本明細書において、前記透湿抵抗は、ＪＩＳ Ａ  １３２４、又はＪＩＳ  Ｚ  ０２０８におけるカップ法に準拠して測定される値である。
【００２９】
このような外壁構造１は、防湿層１３が、外気自体に大量の湿気が含まれる蒸暑地の夏季において、屋内側で冷房が行われることにより生じる、屋外側Ｈｏから屋内側Ｈｉへと向かう湿気Ｍの流れＦを遮断でき、断熱材４の内部に湿気Ｍが浸入するのを抑制しうる。さらに、遮断された湿気Ｍは、外側通気層３内に生じる外気Ｓの流れによって屋外に排出され、外壁構造１の内部で滞留するのが抑制される。
【００３０】
さらに、内装材５は、透湿抵抗Ｂが小さいため、防湿層１３と内装材５との間に侵入した湿気Ｍを、低温低湿の屋内側Ｈｉへ効果的に排出でき、例えば、断熱材４の内部等の壁内で結露が生じることを抑制しうる。
【００３１】
また、内装材５から屋内側Ｈｉに排出された湿気Ｍは、該内装材５と内面材９との間の内側通気層８を通過する屋内の空気Ｔにより、屋内に排出されるため、内側通気層８内で該湿気Ｍが滞留するのを抑制しうる。
【００３２】
さらに、前記比（Ａ／Ｃ）が０．８５以上に設定されるため、内装仕上げ材６を含む内面材９は、内側通気層８内の湿気Ｍの少なくとも一部を吸収しかつ屋内へ排出でき、内側通気層８内で湿気Ｍが滞留するのをより効果的に抑制しうる。
。
【００３３】
従って、本実施形態の外壁構造１は、防湿層１３、内装材５、内側通気層８、内面材９、及び内装仕上げ材６の相乗効果により、蒸暑地の夏季において、断熱材４の内部等の壁内で結露が生じることを抑制でき、夏型結露を効果的に防止しうる。
【００３４】
なお、前記比（Ａ／Ｂ）が４．２５未満であると、上記のような作用を効果的に発揮できないおそれがある。逆に、前記比（Ａ／Ｂ）は、大きければ大きいほどよい。なお、一般的な防湿層１３（透湿抵抗Ａ：１７０（ｍ2・ｈ・mmHg／ｇ））と、石膏ボード（透湿抵抗Ｂ：０．６６（ｍ2・ｈ・mmHg／ｇ））とを組み合わせた場合には、前記比（Ａ／Ｂ）として、２５７．６の値も許容しうる。
【００３５】
また、屋外側Ｈｏから屋内側Ｈｉへと向かう湿気Ｍの流れＦをより効果的に遮断するために、防湿層１３の透湿抵抗Ａは、好ましくは１７０（ｍ2・ｈ・mmHg／ｇ）以上が望ましい。
【００３６】
なお、防湿層１３には、上記透湿抵抗Ａを有するものであれば特に限定されないが、例えば、塩化ビニルや、ポリエチレンテレフタレート等の熱可塑性剛性樹脂フィルム、金属箔、アスファルトルーフィング等、又はこれらを組み合わせた積層体等が用いられるのが望ましい。この防湿層１３は、断熱材４の外面４ｏの全面に配されるのが望ましく、また、接着剤、両面テープ、又はステープル等を用いて固着されるのが望ましい。
【００３７】
また、防湿層１３と内装材５との間に侵入した湿気Ｍを屋内側Ｈｉへ効果的に排出するために、内装材５の透湿抵抗Ｂは、より好ましくは４０（ｍ2・ｈ・mmHg／ｇ）以下が望ましい。
【００３８】
なお、内装材５には、上記透湿抵抗Ｂを有するものであれば特に限定されないが、例えば、内装材５には石膏ボード等が用いられるのが望ましい。また、内装材５は、前記断熱材４の屋内側Ｈｉの内面４ｉ（図２に示す）を覆って配され、例えば枠体７に固着されるのが望ましい。
【００３９】
また、前記比（Ａ／Ｃ）が０．８５未満であると、上記のような作用を効果的に発揮できないおそれがある。逆に、前記比（Ａ／Ｃ）は大きい方が望ましい。なお、一般的な防湿層１３（透湿抵抗Ａ：１７０（ｍ2・ｈ・mmHg／ｇ））と、一般的な内装仕上げ材６（例えば、防水塗膜）を含んだ内面材９（例えば、石膏ボード）（透湿抵抗Ｃ：１８３．６６（ｍ2・ｈ・mmHg／ｇ））とを組み合わせた場合には、前記比（Ａ／Ｃ）として、０．９３の値も許容しうる。
【００４０】
また、内側通気層８内に滞留する湿気Ｍを屋内へ効果的に排出するために、内装仕上げ材６を含んだ内面材９の透湿抵抗Ｃは、好ましくは２００（ｍ2・ｈ・mmHg／ｇ）以下が望ましい。
【００４１】
なお、内面材９及び内装仕上げ材６には、上記透湿抵抗Ｃを有するものであれば特に限定されない。例えば、内面材９は、石膏ボード、ケイカル板、窯業系外装材、ＯＳＢ、合板等が用いられるのが望ましい。また、内装仕上げ材６は、平織壁紙などの織物壁紙、洋紙壁紙などの木質系壁紙、塩ビクロス、塗装仕上げ、接着タイル貼等が用いられるのが望ましい。上記のように、透湿抵抗Ｃの上限値が比較的大きいため、内面材９及び内装仕上げ材６の選択の自由度が確保される。
【００４２】
図１に示されるように、前記内側通気層８は、前記内装材５と内面材９との間で上下にのびる空隙からなる。
【００４３】
前記内面材９は、例えば、内装材５と該内面材９との間で上下方向にのび、かつその幅方向に一定ピッチで隔設される縦桟材（図示省略）、及びその下端で水平方向にのびる横桟１７を介して固着される。
【００４４】
また、内面材９の上端は、内装材５の上端よりも低く設定される。これにより、内面材９の上端側には、内側通気層８と屋内側Ｈｉとを連通する上通気孔１８Ａが設けられる。一方、内面材９の下端側には、内側通気層８と屋内側Ｈｉとを連通する下通気孔１８Ｂが設けられる。
【００４５】
これらの上通気孔１８Ａ、及び下通気孔１８Ｂは、屋内側Ｈｉで開口して形成されるため、屋内の空気Ｔを内側通気層８に円滑に案内でき、又は排出しうる。
【００４６】
さらに、本実施形態の内面材９には、上通気孔１８Ａを屋内側Ｈｉで覆う上覆い部２１と、下通気孔１８Ｂを屋内側Ｈｉで覆う下覆い部２２とが設けられる。このような上、下覆い部２１、２２は、上、下通気孔１８Ａ、１８Ｂを屋内側Ｈｉで目隠ししうるとともに、屋内の空気Ｔの流れを変化させて通気騒音を低減しうる。
【００４７】
図３に拡大して示されるように、前記上覆い部２１は、内面材９を上方で跨ぎかつ水平にのびるウエブ２１ａと、該ウエブ２１ａの屋外側Ｈｏの端部から下方へ張り出しかつ内装材５に固着される外フランジ２１ｂと、該ウエブ２１ａの屋内側Ｈｉの端部から下方へ張り出し、かつ上通気孔１８Ａを屋内側Ｈｉを覆う内フランジ２１ｃとを含む。また、内フランジ２１ｃには、その下端から屋内側Ｈｉへ水平にのび、かつ天井パネル２３の下面に固着される突片２１ｄが設けられる。
【００４８】
このような上覆い部２１は、上通気孔１８Ａを屋内側Ｈｉで目隠ししうるとともに、屋内の空気Ｔの流れを逆Ｓ字状に屈曲させることができ、通気騒音を効果的に低減しうる。
【００４９】
図４に拡大して示されるように、前記下覆い部２２は、内面材９の下通気孔１８Ｂに対して下側に固着される下巾木２６と、下通気孔１８Ｂの上側に固着される上巾木２７とを含む。
【００５０】
前記下巾木２６は、床面２８側で内面材９に固着される下基部２６Ａと、該下基部３１から内面材９に沿って上方にのび、かつ下基部２６Ａよりも幅狭に形成される下突片２６Ｂとを含み、側面視略Ｌ字状に形成される。
【００５１】
また、前記上巾木２７は、下通気孔１８Ｂに対して上側に固着される上基部２７Ａと、該上基部２７Ａから下方にのびかつ下通気孔１８Ｂを屋内側Ｈｉで離間して覆う上突片２７Ｂとを含む。この上突片２７Ｂは、上基部２７Ａよりも幅狭に形成されるとともに、下巾木２６の下突片２６Ｂよりも屋内側Ｈｉに離間して配される。また、上突片２７Ｂの下端は、下通気孔１８Ｂの下端よりも下方に位置する。
【００５２】
このような下覆い部２２は、上巾木２７の上突片２７Ｂが、下通気孔１８Ｂを屋内側Ｈｉで目隠ししうるとともに、屋内の空気Ｔの流れをＷ字状に屈曲させることができ、通気騒音を効果的に低減しうる。
【００５３】
以上、本発明の特に好ましい実施形態について詳述したが、本発明は図示の実施形態に限定されることなく、種々の態様に変形して実施しうる。
【実施例】
【００５４】
図１に示す基本構造をなし、表１に示す内装材、外側通気層、内側通気層、内面材、内装仕上げ材、及び防湿層を有する外壁構造をシミュレーションし、それらの性能が評価された。なお、共通仕様は次のとおりである。
外装材：
材料：窯業系サイディング
厚さ：１５mm
断熱材：
材料：グラスウール１６Ｋ
厚さ：１００mm
テスト方法は、次の通りである。
【００５５】
下記条件において、各外壁構造の断熱材の内面近傍における相対湿度（％ＲＨ）、及び内側通気層内における相対湿度（％ＲＨ）をシミュレーションした。評価は、各相対湿度が８５．０（％ＲＨ）以下であれば、蒸暑地等における夏型結露を有効に防止しうることを示す。
シミュレーション条件：
透湿抵抗Ａ（ｍ2・ｈ・mmHg／ｇ）：４パターン
透湿抵抗Ｂ（ｍ2・ｈ・mmHg／ｇ）：４パターン
透湿抵抗Ｃ（ｍ2・ｈ・mmHg／ｇ）：３パターン
蒸暑地の気象条件（一時間毎の温湿度データ（１年分））：
年平均：
気温：２３．８℃
湿度：７２．５％ＲＨ
夏季平均（６／１５〜９／１５）：
気温：２８．９℃
湿度：７２．５％ＲＨ
屋内：
平均室温：１８℃
平均湿度：７０％ＲＨ
外側通気層への換気：３０回／hr
内側通気層への換気：０．５回／hr
結果を表１に示す。
【００５６】
【表１】
0005806499.tif 000002
【００５７】
実施例の外壁構造は、蒸暑地等における夏型結露を有効に防止するのに役立つことが確認できた。
【符号の説明】
【００５８】
１      外壁構造
２      外装材
３      外側通気層
４      断熱材
５      内装材
６      内装仕上げ材
８      内側通気層
９      内面材
【図１】
0005806499.tif 000003
【図２】
0005806499.tif 000004
【図３】
0005806499.tif 000005
【図４】
0005806499.tif 000006
【図５】
0005806499.tif 000007